(57)【要約】      （修正有）【課題】無線通信ユニットを人の手やアクセサリー、パネルの開閉等にも通信を妨害されない電波の通りのよい場所に配置した撮像装置を提供すること。【解決手段】無線通信アンテナ部７０１は電気抵抗値の低い本体上側保持部３０３及び本体下側保持部３０４との間に配置することよって電波を遮断されない構造となっており、また本体側ヒンジカバー及び本体背面カバー部１０６は周囲の本体右側面カバー１０３ａのカバーよりも電気抵抗の高い部材で構成することにより、無線通信ユニット部７００の電波を通しやすい構造となっている。【選択図】図７
2016053659.tif 000002
【特許請求の範囲】
【請求項１】
撮像装置本体部と、本体部を覆う外装部材と、レンズ部またはレンズ装着部と、前記本体部とヒンジ部にて開閉自在に接続された表示部と、
前記ヒンジ部は前記本体部の背面部と側面部とがなす角部近傍に配置され、
前記ヒンジ部により、前記表示部は前記レンズ部の配置側と前記本体部を挟んで反対側の第１の位置と、前記表示部の表示面が前記本体部の側面部と平行になる第２の位置まで開閉可能であり、
前記ヒンジ部の本体側取り付け部及び本体の一部を覆うヒンジカバー部と、
前記ヒンジ部の開閉軸近傍に配置された無線通信ユニットと、
前記無線通信ユニットは前記無線通信ユニットに搭載されたアンテナ部に対向する領域を前記ヒンジカバー部で一部もしくは全部を覆うように配置され、
前記ヒンジカバー部は周囲の外装部材よりも電気抵抗値が相対的に高いことを特徴とする撮像装置。
【請求項２】
前記背面部の一部もしくは全部分は、前記第１の位置では前記表示部により覆われ、少なくとも前記第２の位置で露出し、前記ヒンジカバー部は側面部の外装の一部を形成する側面露出部及び前記背面部の一部を形成する背面露出部を備えていることを特徴とする請求項１に記載の撮像装置。
【請求項３】
前記背面部は前記ヒンジカバー部と同様に周囲の外装部材よりも電気抵抗値が相対的に高いことを特徴とする請求項１又は請求項２に記載の撮像装置。
【請求項４】
前記表示部は前記ヒンジ部にて本体側と回動自在に接続されていることを特徴とする請求項１乃至請求項３の何れか一項に記載の撮像装置。
【発明の詳細な説明】
【技術分野】
【０００１】
本発明は、撮像装置に関し、特に無線装置の配置に関する。
【背景技術】
【０００２】
近年、無線技術の高まり等に伴い、撮像装置にＷｉＦｉユニット等の無線通信ユニットを搭載することが増えている。たとえば、特許文献１には、カメラユニットのペンタプリズム部に無線通信ユニットを搭載する撮像装置が開示されている（特許文献１）。
【先行技術文献】
【特許文献】
【０００３】
【特許文献１】特開２０１４−４４３７４号公報
【発明の概要】
【発明が解決しようとする課題】
【０００４】
しかしながら、上記特許文献１では、ペンタプリズム近傍に配置されており、それよりも上方に搭載されたポップアップするストロボの開閉位置の違いによっては電波がさえぎられてしまう、ペンタプリズムの上方にあるアクセサリーシューに取り付くアクセサリーの種類によっては電波がさえぎられてしまう、等の問題点がある。
【０００５】
そこで、本発明の目的は、無線通信ユニットを人の手やアクセサリー、パネルの開閉等にも通信を妨害されない電波の通りのよい場所に配置した撮像装置を提供することにある。
【課題を解決するための手段】
【０００６】
本発明の撮像装置は、
撮像装置本体部と、本体部を覆う外装部材と、レンズ部またはレンズ装着部と、前記本体部とヒンジ部にて開閉自在に接続された表示部と、
前記ヒンジ部は前記本体部の背面部と側面部とがなす角部近傍に配置され、
前記ヒンジ部により、前記表示部は前記レンズ部の配置側と前記本体部を挟んで反対側の第１の位置と、前記表示部の表示面が前記本体部の側面部と略平行になる第２の位置まで開閉可能であり、
前記ヒンジ部の本体側取り付け部及び本体の一部を覆うヒンジカバー部と、
前記ヒンジ部の開閉軸近傍に配置された無線通信ユニットと、
前記無線通信ユニットは前記無線通信ユニットに搭載されたアンテナ部に対向する領域を前記ヒンジカバー部で一部もしくは全部を覆うように配置され、
前記ヒンジカバー部は周囲の外装部材よりも電気抵抗値が相対的に高いことを特徴とする。
【０００７】
また、本発明の他の特徴とするところは、
前記背面部の一部もしくは全部分は、前記第１の位置では前記表示部により覆われ、少なくとも前記第２の位置で露出し、
前記ヒンジカバー部は側面部の外装の一部を形成する側面露出部及び前記背面部の一部を形成する背面露出部を備えていることを特徴とする。
【０００８】
また、本発明のその他の特徴とするところは、
前記背面部は前記ヒンジカバー部と同様に周囲の外装部材よりも電気抵抗値が相対的に高い、
ことを特徴とする。
【０００９】
また、本発明のその他の特徴とするところは、
前記表示部は前記ヒンジ部にて本体側と回動自在に接続されている、
ことを特徴とする。
【発明の効果】
【００１０】
本発明によれば、無線通信ユニットを人の手やアクセサリー、パネルの開閉等にも通信を妨害されない電波の通りのよい場所に配置した撮像装置を提供することができる。
【図面の簡単な説明】
【００１１】
【図１】本発明の実施形態にかかわる撮像装置の表示部収納状態での右後方斜視図。
【図２】表示部１２０を開いた状態での撮像装置の右後方斜視図。
【図３】表示部１２０を開いた状態での撮像装置の右前方斜視図。
【図４】表示部１２０を反転収納した状態での撮像装置の右後方斜視図。
【図５】表示部１２０を本体右側面部１０３側まで開いた状態での撮像装置の右後方斜視図。
【図６】表示部１２０を本体右側面部１０３側まで開いた状態での撮像装置の右側面図。
【図７】本体側ヒンジカバー３２０を外したヒンジ部１３０近傍の右後方斜視図の拡大図。
【図８】本発明の実施形態にかかわる撮像装置の背面図。
【図９】図８のＡ−Ａ断面位置にて切断した表示部１２０収納状態でのヒンジ部１３０近傍の断面図。
【図１０】図９と同位置で切断した図２の状態でのヒンジ部１３０近傍の断面図。
【図１１】図９と同位置で切断した図５の状態でのヒンジ部１３０近傍の断面図。
【発明を実施するための形態】
【００１２】
以下、本発明を実施するための形態を図面に基づいて説明する。
【００１３】
図１は本発明の実施形態にかかわる撮像装置の表示部収納状態での右後方斜視図である。撮像装置１００は、本体部１０１上に配置された電源スイッチ部１０２、レンズ光軸方向レンズ側から見た、本体右側面部１０３、バッテリーボックス部１０４、交換レンズ部１１０、表示部１２０、ヒンジ部１３０、ファインダー部１５０、外部接続部１６０等から構成されている。表示部１２０は本体側とヒンジ部１３０を介して開閉方向及び回転方向に回動可能につながっている。また、図１の状態では、表示部１２０は本体背面側に収納された状態となっている。
【００１４】
ヒンジ部１３０は、本体部１０１の本体右側面部１０３と本体背面カバー部１０６（位置後述）との角部もしくはその近傍に配置され、ヒンジ開閉軸１３０ａを光軸と垂直な方向に持つ。また、ヒンジ開閉軸１３０ａに垂直なヒンジ回転軸１３０ｂを持ち、表示部１２０をヒンジ回転軸１３０ｂを中心として回動可能となっている。ヒンジ部１３０は表示側ヒンジカバー３１０及び本体側ヒンジカバー３２０によって内部構造をカバーしており、ゴミの侵入や強度アップ、外観上の見え向上等を行っている。
【００１５】
図２に表示部１２０を開いた状態での撮像装置の右後方斜視図、図３に表示部１２０を開いた状態での撮像装置の右前方斜視図を示す。図２に示すように、表示部１２０を図１の状態からヒンジ部１３０のヒンジ開閉軸１３０ａを中心に１８０度開いた状態では、本体背面カバー部１０６に配置された背面スイッチ部１０７、及びカード状記録媒体２２０（図示せず）を保護する蓋部２００が外観面に露出する。また、着脱可能なバッテリー１４０がバッテリーボックス部１０４に収納されている。
【００１６】
表示部１２０には、図１の収納状態では本体部１０１の側を向いて外部に露出していなかった、表示面部１２１、及び操作用十字スイッチ部１２２、パネルスイッチ部１２３が配置されている。また、図３に示すように交換レンズ部１１０は交換レンズマウント部１１１によって本体部１０１に取り付き、さまざまな種類の交換レンズ（図示せず）を取り付けることが可能となっている。交換レンズ部１１０は交換レンズ着脱ノブ１１２によって交換レンズマウント部１１１からのロック／アンロック動作を行うことにより着脱可能になっている。
【００１７】
また本体部１０１のレンズ光軸方向レンズ側から見た、左側面部１０９にはグリップトリガ部１７１等が配置された着脱可能なグリップ部１７０を持ち、撮像装置１００をしっかりとホールドして撮影可能となっている。さらに、ヒンジ部１３０が配置されている側と反対側の面にグリップ部１７０を配置することにより、撮影者がグリップ部１７０を右手で保持しながら、表示部１２０の表示面部１２１を目で確認する際にも左腕や左手が邪魔することなく撮影を行うことが可能となっている。
【００１８】
図４に表示部１２０をヒンジ回転軸１３０ｂに１８０°反転収納した状態での撮像装置の右後方斜視図を示す。本発明においては、表示部１２０はヒンジ部１３０によって図４のように表示面部１２１を外観面としてヒンジ回転軸１３０ｂを中心とした回転で反転収納可能に本体部１０１と連結されている。これにより、表示部が飛び出したりせず、狭い場所や小型が求められるような状況で撮像装置１００を使用したい際に使いやすい構成となっている。
【００１９】
図５に表示部１２０をヒンジ部１３０のヒンジ開閉軸１３０ａを中心として約２７０°開いた本体右側面部１０３側まで開いた状態での撮像装置の右後方斜視図、図６に表示部１２０をヒンジ部１３０のヒンジ開閉軸１３０ａを中心として約２７０°開いた本体右側面部１０３側まで開いた状態での撮像装置の右側面図を示す。特に本体右側面部１０３側からも撮影状態が確認できるように図５，６に示すように本体右側面部１０３側までヒンジ部１３０により表示部１２０の表示面部１２１を向けることが可能となっている。これにより様々な撮影スタイルで撮影することが可能である。また、本体右側面部１０３まで表示部１２０が開くことを可能にするためにも、ヒンジ部１３０の配置は本体右側面部１０３と本体背面カバー部１０６との角部近傍にあることが必要となる。
【００２０】
図７に本体側ヒンジカバー３２０を外したヒンジ部１３０近傍の右側方斜視図の拡大図を示す。本体側ヒンジカバー３２０内には、本体上側開閉軸３０１及び本体下側開閉軸３０２、本体上側保持部３０３、本体下側保持部３０４、及び無線通信ユニット部７００を持つ。表示部１２０を開閉させる際には、本体上側開閉軸３０１及び本体下側開閉軸３０２がヒンジ開閉軸１３０ａを中心として表示部１２０が開閉方向に回転する構造となっている。ヒンジ部１３０は金属板金等の強度が高く、電気抵抗値の低い本体上側保持部３０３及び本体下側保持部３０４により本体部１０１と固定される構造となっている。また、本体上側開閉軸３０１は回転軸及び開閉軸中心が中空となっており、その部分を本体部１０１と表示部１２０を電気的に接続する接続ワイヤ部３０５を通す構造となっている。
【００２１】
無線通信ユニット部７００は無線通信アンテナ部７０１を持ち、外部機器と無線を通じてデータのやり取りを行うことが可能になっている。また、本体電気接続部７０２によって、本体部１０１と電気的に繋がっている。
【００２２】
無線通信アンテナ部７０１は本体側ヒンジカバー３２０に対向する位置、すなわち本体右側面部１０３の内部から外側を向くように配置されている。加えて、側面視及び前面視から見た場合、本体上側保持部３０３と本体下側保持部３０４の間に無線通信アンテナ部７０１があるように配置されており、電気抵抗値の低い本体上側保持部３０３及び本体下側保持部３０４によって電波を遮断しない構成となっている。また、本体側ヒンジカバー３２０及び本体背面カバー部１０６は周囲の本体右側面カバー１０３ａ等のカバーよりも電気抵抗の高い部材で構成され無線通信ユニット部７００の電波を通しやすい構成となっている。
【００２３】
図８に本発明の実施形態にかかわる撮像装置の背面図、図９に図８のＡ−Ａ断面位置にて切断した表示部１２０収納状態でのヒンジ部１３０近傍の断面図、図１０に図９と同位置で切断した図２の状態でのヒンジ部１３０近傍の断面図、図１１に図９と同位置で切断した図５の状態でのヒンジ部１３０近傍の断面図を示す。図９に示すように、表示部１２０が収納状態の際、無線通信ユニット部７００の無線通信アンテナ部７０１からの無線電波７１０は電気抵抗値の高い、すなわち無線電波７１０を遮断することのない本体側ヒンジカバー３２０の部分を抜けて側面側から外部機器と通信を行うことができる。
【００２４】
図９の状態では、本体背面カバー部１０６側へは、内部に電気抵抗の低い液晶パネル等からなる表示面部１２１を含む表示部１２０が収納されているため、本体背面カバー部１０６側からは無線電波７１０を出力することは困難となっている。
【００２５】
図１０に示すように、表示部１２０がヒンジ部１３０のヒンジ開閉軸１３０ａを中心に１８０度開いた状態では、無線電波７１０は電気抵抗値の高い、すなわち無線電波７１０を邪魔することのない本体側ヒンジカバー３２０及び本体背面カバー部１０６の側面側及び背面側の双方の側から外部機器と通信を行うことができる。
【００２６】
図１１に示すように、表示部１２０がヒンジ部１３０のヒンジ開閉軸１３０ａを中心として約２７０°開いた状態では、側面側が表示部１２０によって防がれているため、側面側から通信を行うことが困難であるが、本体側ヒンジカバー３２０の背面側ヒンジカバー部分３２０ａ及び本体背面カバー部１０６を通って無線電波７１０が背面側から通信を行うことができる。これらから、表示部１２０がどのような位置にあっても無線通信ユニット部７００と外部機器が通信を行うことが可能となる。
【００２７】
これまで述べてきた構成をとることにより、無線通信ユニットを人の手やアクセサリー、パネルの開閉等にも通信を妨害されない電波の通りのよい場所に配置した撮像装置を提供することができる。
【００２８】
以上、本発明の好ましい実施形態について説明したが、本発明はこれらの実施形態に限定されず、その要旨の範囲内で種々の変形及び変更が可能である。
【符号の説明】
【００２９】
１００  撮像装置、１０１  本体部、１０２  電源スイッチ部、１０３  本体右側面部、
１０４  バッテリーボックス部、１０６  本体背面カバー部、１０７  背面スイッチ部、
１０９  左側面部、１１０  交換レンズ部、１１１  交換レンズマウント部、
１１２  交換レンズ着脱ノブ、１２０  表示部、１２１  表示面部、
１２２  操作用十字スイッチ部、１２３  パネルスイッチ部、１３０  ヒンジ部、
１３０ａ  ヒンジ開閉軸、１３０ｂ  ヒンジ回転軸、１４０  バッテリー、
１５０  ファインダー部、１６０  外部接続部、１７０  グリップ部、
１７１  グリップトリガ部、２００  蓋部、２２０  カード状記録媒体、
３０１  本体上側開閉軸、３０２  本体下側開閉軸、３０３  本体上側保持部、
３０４  本体下側保持部、３０５  接続ワイヤ部、３１０  表示側ヒンジカバー、
３２０  本体側ヒンジカバー、３２０ａ  背面側ヒンジカバー部分、
７００  無線通信ユニット部、７０１  無線通信アンテナ部、７０２  本体電気接続部、
７１０  無線電波
【図１】
2016053659.tif 000003
【図２】
2016053659.tif 000004
【図３】
2016053659.tif 000005
【図４】
2016053659.tif 000006
【図５】
2016053659.tif 000007
【図６】
2016053659.tif 000008
【図７】
2016053659.tif 000009
【図８】
2016053659.tif 000010
【図９】
2016053659.tif 000011
【図１０】
2016053659.tif 000012
【図１１】
2016053659.tif 000013